(57)【要約】【課題】プラントに対する操作を行う複数のオペレータについて、オペレータ毎に操作の質を評価することを可能とする。【解決手段】表示・操作部１１は、複数のオペレータの各々による操作を示す操作情報を入力する。操作ＤＢ１３は、表示・操作部１１によって入力された操作情報を、オペレータ毎に対応付けて格納する。プロセス測定部１５は、操作情報に応じて制御された発電プラント４０からの各プロセス入力点の状態量を示すプロセスデータを取得する。プロセスＤＢ１７は、プロセス測定部１５によって取得されたプロセスデータを格納する。オペレーション評価部１９は、操作ＤＢ１３に格納されているオペレータ毎の操作情報及びプロセスＤＢ１７に格納されているプロセスデータに基づいて、オペレータ毎に操作を評価する。【選択図】      図１
2008140340.tif 000002
【特許請求の範囲】
【請求項１】
複数のオペレータの各々による操作を示す操作情報に応じてプラントを制御するプラント監視制御装置において、
前記操作情報を入力する入力手段と、
前記入力手段によって入力された操作情報を、オペレータ毎に対応付けて格納するオペレータ操作格納手段と、
前記操作情報に応じて制御された前記プラントからの各プロセス入力点の状態量を示すプロセスデータを取得する取得手段と、
前記取得手段によって取得されたプロセスデータを格納するプロセス格納手段と、
前記オペレータ操作格納手段に格納されている前記オペレータ毎の操作情報及び前記プロセス格納手段に格納されているプロセスデータに基づいて、当該操作情報によって示される操作を実行したオペレータ毎に操作を評価するオペレーション評価手段と、
前記オペレーション評価手段によって評価されたオペレータ毎の操作の評価結果を表示する表示手段と
を具備することを特徴とするプラント監視制御装置。
【請求項２】
前記表示手段によって表示された前記オペレータ毎の操作の評価結果を閲覧するための権限を設けることを特徴とする請求項１記載のプラント監視制御装置。
【請求項３】
前記入力手段は、前記複数のオペレータの各々を識別するオペレータ識別情報を入力し、
前記オペレータ操作格納手段は、前記入力手段により入力される前記オペレータ識別情報によって示されるオペレータに対応付けて前記操作情報を格納する
ことを特徴とする請求項１記載のプラント監視制御装置。
【請求項４】
前記オペレータ操作格納手段は、前記複数のオペレータについて各々のオペレータが所属するチームを示す所属チーム情報を更に格納し、
前記オペレーション評価手段は、前記オペレータ操作格納手段に格納されている前記操作情報と前記所属チーム情報及び前記プロセス格納手段に格納されている前記プロセスデータに基づいて、所定のチームの操作を評価し、
前記表示手段は、前記オペレーション評価手段により評価された前記所定のチームの操作の評価結果を表示する
ことを特徴とする請求項１記載のプラント監視制御装置。
【請求項５】
評価対象とする操作情報の検索条件を入力し検索要求を行なう検索要求手段と、
前記検索要求手段からの検索要求に基づいて、当該検索要求に合致する操作情報を前記オペレータ操作格納手段から検索する検索手段を更に具備し、
前記オペレーション評価手段は、前記検索手段によって検索された操作情報及び当該操作情報に対応するプロセスデータに基づいて、当該操作情報によって示される操作を評価する
ことを特徴とする請求項１記載のプラント監視制御装置。
【請求項６】
前記オペレータ操作格納手段に格納されている操作情報に対するメモ情報を入力するメモ入力手段を更に具備し、
前記オペレータ操作格納手段は、前記メモ入力手段によって入力された前記メモ情報を対応する操作情報と対応付けて格納し、
前記表示手段は、前記操作情報と共に対応するメモ情報を表示する
ことを特徴とする請求項１記載のプラント監視制御装置。
【請求項７】
前記オペレータ操作格納手段は、オペレータが操作中に確認した確認画面を示す確認画面情報を当該オペレータと対応付けて格納し、
前記表示手段は、前記オペレータ操作格納手段において所定のオペレータに対応付けて格納されている前記確認画面情報を表示する
ことを特徴とする請求項１記載のプラント監視制御装置。
【発明の詳細な説明】
【技術分野】
【０００１】
本発明は、プラントを操作するオペレータのオペレーションの質を評価する評価機能を有するプラント監視制御装置に関する。
【背景技術】
【０００２】
近年、社会システムを支える各種プラントのオペレーション（操作）の質がますます重要になってきている。
【０００３】
例えば、火力発電所等の発電プラントでのミスオペレーション（操作ミス）は、電力系統全体の安定が損なわれるおそれがある等影響が大きい。また、時々刻々変化する指令値に従って安定して発電を行っていた場合であっても、オペレーションの質により余分な燃料が必要になる場合がある。火力発電所では、より少ない燃料で安全に操作することが質の高いオペレーションである。
【０００４】
また、例えば高品質な製品を生産する化学プロセスプラントでは、操作が難しく変化の遅い処理が存在するため、高度な技術が必要とされる。化学プロセスプラントでは、外乱や原料の性質の変化に対し、製品の質を維持することが質の高いオペレーションである。
【０００５】
さて、質の高いオペレーションには質（技能）の高いオペレータが、多人数で協調することが欠かせないとされている。しかしながら、例えば質の高い熟年労働者の退職や市場競争が激しくなる中で、必ずしも熟練していないオペレータが少人数でプラントのオペレーションを行うことが必要である。
【０００６】
ここで、必ずしも熟練していないオペレータが少人数で質の高いオペレーションを行うためには、オペレータ毎にオペレーションの質を評価する必要がある。これにより、不慣れなオペレータによるオペレーションを事前に評価することで、誤操作を防止したり、熟練オペレータによる質の高いオペレーションをガイダンスしたりすることが可能となる。
【０００７】
オペレーションの質をオペレータ毎に評価するには、オペレータを区別する必要がある。そこで、例えば操作を承認するためにオペレータがＩＤとパスワードを入力することによってオペレータを区別する技術が開示されている（例えば、特許文献１を参照）。また、例えばモバイル監視において誤動作となりすましに対応するために声紋をチェックすることによりオペレータを区別する技術が開示されている（例えば、特許文献２を参照）。
【０００８】
一方、オペレータによるオペレーションの質を評価するプラント監視装置が開示されている（例えば、特許文献３を参照）。このプラント監視装置は、オペレータの過去の操作を、監視画面表示も含めて再現することが開示されている。
【特許文献１】特開２００３−１５０５５１号公報
【特許文献２】特開２００４−２１９４９号公報
【特許文献３】特開２００３−２５６０３５号公報
【発明の開示】
【発明が解決しようとする課題】
【０００９】
しかしながら、上記した先行技術では、オペレータを区別し、当該オペレータ毎にオペレーションの質を評価することはできない。
【００１０】
本発明の目的は、複数のオペレータを区別し、当該オペレータ毎にオペレーションの質を評価することが可能なプラント監視制御装置を提供することにある。
【課題を解決するための手段】
【００１１】
本発明のプラント監視制御装置は、複数のオペレータの各々による操作を示す操作情報に応じてプラントを制御するプラント監視制御装置において、前記操作情報を入力する入力手段と、前記入力手段によって入力された操作情報を、オペレータ毎に対応付けて格納するオペレータ操作格納手段と、前記操作情報に応じて制御された前記プラントからの各プロセス入力点の状態量を示すプロセスデータを取得する取得手段と、前記取得手段によって取得されたプロセスデータを格納するプロセス格納手段と、前記オペレータ操作格納手段に格納されている前記オペレータ毎の操作情報及び前記プロセス格納手段に格納されているプロセスデータに基づいて、当該操作情報によって示される操作を実行したオペレータ毎に操作を評価するオペレーション評価手段と、前記オペレーション評価手段によって評価されたオペレータ毎の操作の評価結果を表示する表示手段とを具備する構成である。
【発明の効果】
【００１２】
本発明によれば、複数のオペレータを区別し、当該オペレータ毎にオペレーションの質を評価することが可能となる。
【発明を実施するための最良の形態】
【００１３】
以下、図面を参照して、本発明の実施形態について説明する。
【００１４】
図１は、本実施形態に係るプラント監視制御装置１０の構成を示すブロック図である。プラント監視制御装置１０は、表示・操作部１１、操作処理部１２、操作データベース（ＤＢ）１３、プロセス操作部１４、プロセス測定部１５、表示処理部１６、プロセスＤＢ１７、データベース操作部１８、オペレーション評価部１９及び評価表示・操作部２０を備える。
【００１５】
ここで、便宜的に１人のオペレータ３０のみを図示しているが、所定の時間毎に他のオペレータと交代しながら複数のオペレータによりプラント監視制御装置１０は操作される。
【００１６】
表示・操作部１１は、発電プラント４０の動作を制御するためのオペレータ３０の操作（オペレーション）に応じて、当該操作を示す操作情報を入力するためのものである。また、表示・操作部１１は、オペレータ３０からの操作に応じ、操作情報に対して付加されたメモ情報の入力も行う。更に、表示・操作部１１は、オペレータ３０に通知するための各種データを表示する。更に、オペレータ３０から入力されるオペレータ識別情報（オペレータＩＤやパスワードなど）に基づきオペレータ３０を識別する機能も有する。ここで、上述した表示・操作部１１から入力される操作情報、オペレータ識別情報、メモ情報などの情報を総称して入力情報という。
【００１７】
なお、表示・操作部１１に、ＰＯＳ端末で利用されているバーコード読み取り装置を設け、所定のオペレータを示すバーコードをバーコード読み取り装置により読み取り、この読み取ったバーコードに基づいてオペレータを識別する構成としても良い。  
操作処理部１２は、表示・操作部１１から入力される入力情報を解釈し、当該入力情報を操作ＤＢ１３に送信し格納すると共に、操作情報をプロセス操作部１４に送信する。
【００１８】
操作ＤＢ１３は、入力情報を格納するものである。
【００１９】
プロセス操作部１４は、操作処理部１２から送信された操作情報に応じて発電プラント４０の動作を制御するものである。
【００２０】
プロセス測定部１５は、発電プラント４０の複数のプロセス入力点に設けられた種々のセンサ（図示せず）から、当該種々のセンサにて測定された各プロセス入力点におけるプロセス状態量を示すプロセスデータを取得するものである。
【００２１】
表示処理部１６は、プロセス測定部１５にて取得されたプロセスデータを表示・操作部１１において表示するよう表示制御を行うと共に、プロセスデータをプロセスＤＢ１７に送信し格納する処理を行うものである。また、表示処理部１６は、発電プラント４０のプロセス状態の異常が測定された場合、即ち、所定のプロセスデータの示すプロセス状態量そのもの、またはその変化が異常であることが判定された場合（以下、この状態をアラームが発生した状態という）、表示・操作部１１において警告音を出力させる、または警告表示を行わせるよう制御する。また、表示処理部１６は、例えばプラント監視制御装置１０の外部から発電プラント４０の出力を増加させるような指令があった場合に、表示・操作部１１において当該指令をオペレータ３０に対して通知（表示）させるように制御する。
【００２２】
プロセスＤＢ１７は、プロセスデータを格納するものである。
【００２３】
ＤＢ操作部１８は、オペレーション評価部１９の指示に応じて、操作ＤＢ１３及びプロセスＤＢ１７を検索し、操作情報またはプロセスデータを取得するものである。
【００２４】
オペレーション評価部１９は、表示・操作部１１を介して入力される複数のオペレータ（オペレータ３０を含む）の各々の操作を評価するものである。
【００２５】
評価表示・操作部２０は、オペレーション評価部１９によって評価された評価結果を表示することにより、管理者５０に評価結果を通知するものである。
【００２６】
次に、図２のフローチャートを参照して、プラント監視制御装置１０の処理手順について説明する。
【００２７】
まず、表示・操作部１１は、オペレータ３０から入力されるオペレータ識別情報に基づいて、オペレータの識別処理を実行する（ステップＳ１）。ここでは、この処理によってオペレータ３０が識別されたものとする。
【００２８】
表示・操作部１１は、発電プラント４０の動作を制御するためのオペレータ３０の操作に応じて、当該操作を示す操作情報を入力する（ステップＳ２）。操作情報によって示されるオペレータの操作は、例えば燃料バルブの開閉等である。また、表示・操作部１１は、オペレータ３０からの操作に応じ、操作情報に対して付加されるメモ情報も入力する。例えば、メモ情報は、参照画面を確認するときにどのようなことに注意する必要があるか等をオペレータ３０が記録した情報である。このメモ情報は、後日、オペレータが過去の操作情報を参照する場合、表示・操作部１１或いは評価表示・操作部２０にて当該操作情報と併せて表示される。
【００２９】
操作処理部１２は、表示・操作部１１によって入力された操作情報を操作ＤＢ１３に格納する処理を実行する（ステップＳ３）。また、操作処理部１２は、表示・操作部１１によって入力されたメモ情報についても操作ＤＢ１３に格納する処理を実行する。また、操作処理部１２は、表示・操作部１１によって入力された操作情報をプロセス操作部１４に送信する。
【００３０】
プロセス操作部１４は、操作処理部１２によって送信された操作情報に応じて発電プラント４０の動作を制御する（ステップＳ４）。
【００３１】
次に、プロセス測定部１５は、発電プラント４０の複数のプロセス入力点に設けられた種々のセンサにて測定された各プロセス入力点におけるプロセス状態量を示すプロセスデータを取得する（ステップＳ５）。上記したように、例えば表示・操作部１１によって入力された操作情報によって示される操作が燃料バルブの開閉であった場合を想定すると、この操作に応じて、発電プラント４０のプロセス状態量である燃料流量を示すプロセスデータが変化する。
【００３２】
表示処理部１６は、プロセス測定部１５によって取得されたプロセスデータをプロセスＤＢ１７に格納する処理を実行する（ステップＳ６）。
【００３３】
ここで例えば、評価表示・操作部２０を介して、管理者５０から、オペレータの操作を評価するよう指示があった場合（ステップＳ７のＹＥＳ）、オペレーション評価部１９は、当該オペレータの操作を評価するために必要な情報を取得するようにＤＢ操作部１８に対して指示する。ここで、管理者５０は、評価表示・操作部２０を操作し、例えば特定のオペレータを指定し、当該オペレータの操作情報のみ検索するような検索要求をすることができる。オペレーション評価部１９は、この検索要求に応じて、当該検索要求に合致する操作情報を取得（検索）するようにＤＢ操作部１８に対して指示する。なお、管理者５０により指定可能な検索条件には、評価対象とするオペレータの指定だけでなく、プロセスＤＢ１７に格納されたアラーム発生情報や指令情報も含まれる。
【００３４】
また、オペレーション評価部１９は、上記したように検索要求に応じてオペレータの過去の操作を評価する構成でも良いし、オペレータによって操作が実行される度に、リアルタイムで評価処理を実行する構成もあっても構わない。
【００３５】
一方、ステップＳ７において、オペレータの操作を評価するような指示がない場合には、以下の処理は実行されない。
【００３６】
ＤＢ操作部１８は、オペレーション評価部１９の指示に応じて、操作ＤＢ１３及びプロセスＤＢ１７を検索して、操作情報またはプロセスデータを取得する（ステップＳ８）。
【００３７】
ここで、管理者５０から、検索条件として「オペレータＡ」を評価対象に指定され検索要求が行なわれた場合を想定する。この場合、ＤＢ操作部１８は、操作ＤＢ１３のオペレータＡ操作ＤＢ１３２を検索し、オペレータＡの操作情報を取得する。また、ＤＢ操作部１８は、取得したオペレータＡの操作情報からオペレータＡの操作が行なわれた時間を取得する。そして、ＤＢ操作部１８は、取得した時間に基づいてプロセスＤＢ１７のプラントプロセスＤＢ１７１を検索し、オペレータＡが操作を行った時間に対応するプロセスデータを取得する。
【００３８】
オペレーション評価部１９は、ＤＢ操作部１８によって取得された操作情報とプロセスデータに基づいて、オペレータの各々の操作を評価する（ステップＳ９）。また、オペレーション評価部１９は、前述したように、予め設定されたチームの各々の操作を評価することも可能である。
【００３９】
評価表示・操作部２０は、オペレーション評価部１９によって評価された評価結果を表示する（ステップＳ１０）。
【００４０】
なお、評価表示・操作部２０によって評価結果を表示する際、当該評価結果を閲覧するための権限が設けられる構成であっても良い。この場合、評価結果を閲覧するためには、予め設定された管理者ＩＤまたはパスワードを入力させるような構成とすると良い。これにより、正当な権限を有する例えば管理者５０のみが評価結果を閲覧することが可能となる。
【００４１】
（ＤＢのデータ構造）
ここで、図３を参照して、操作ＤＢ１３内のデータ構造について説明する。図３は、操作ＤＢ１３内のデータ構造の一例を示す図である。
【００４２】
図３に示すように、操作ＤＢ１３には、プラント操作ＤＢ１３１と、オペレータ操作ＤＢであるオペレータＡ操作ＤＢ１３２及びオペレータＢ操作ＤＢ１３３が含まれている。操作ＤＢ１３は、プラント操作ＤＢ１３１、オペレータＡ操作ＤＢ１３２、オペレータＢ操作ＤＢ１３３をそれぞれ異なる格納領域に格納することにより、仮想的に複数のＤＢを構成している。
【００４３】
オペレータＡ操作ＤＢ１３２は、オペレータＡに対応付けられており、表示・操作部１１によって入力されたオペレータＡの操作を示す操作情報を格納する。オペレータＢ操作ＤＢ１３３は、オペレータＢに対応付けられており、表示・操作部１１によって入力されたオペレータＢの操作を示す操作情報を格納する。なお、ここでは図示していないが、操作ＤＢ１３には、オペレータＡ操作ＤＢ１３２やオペレータＢ操作ＤＢ１３３以外にも、オペレータＣの操作情報やオペレータＤの操作情報など、複数のオペレータについてその操作情報をオペレータ毎に格納するオペレータ操作ＤＢが複数格納されている。
【００４４】
プラント操作ＤＢ１３１は、複数のオペレータ操作ＤＢに格納された操作情報に基づいてその論理和をとり作成されたＤＢであり、複数のオペレータの操作を統合した操作情報を格納している。
【００４５】
ここで、プラント操作ＤＢ１３１、及び、複数のオペレータ操作ＤＢ（オペレータＡ操作ＤＢ１３２、オペレータＢ操作ＤＢ１３３など）に格納される情報について、更に詳細に説明する。
【００４６】
時間は、操作情報によって示される操作が実行された時間を示し、例えば分単位で区切られている。また、操作点は、オペレータの操作により制御対象となる発電プラント４０の制御箇所であり、例えば、燃料バルブ等である。操作点はｎ（ｎは、２以上の整数）個設けられている。
【００４７】
図３に示す例は、１３：０１時点で、オペレータＡからオペレータＢに交代した場合の格納状況を示している。このため、オペレータＡ操作ＤＢ１３２には、時間１２：０１に対応付けて操作情報Ａ１、Ａ２、…、Ａｎが格納されている。また、時間１２：０２に対応付けて操作情報Ｂ１、Ｂ２、…、Ｂｎが格納されている。また、時間１２：０３に対応付けて操作情報Ｃ１、Ｃ２、…、Ｃｎが格納されている。時間１３：０１以降は、オペレータＡはプラント監視制御装置１０を操作していないため、オペレータＡ操作ＤＢ１３２には、操作情報は格納されていない。
【００４８】
一方、オペレータＢ操作ＤＢ１３３には、時間１３：０１に対応付けて操作情報Ｄ１、Ｄ２、…、Ｄｎが格納されている。また、時間１３：０２に対応付けて操作情報Ｅ１、Ｅ２、…、Ｅｎが格納されている。時間１３：００以前は、オペレータＢはプラント監視制御装置１０を操作していないため、オペレータＢ操作ＤＢ１３３には、操作情報は格納されていない。
【００４９】
また、プラント操作ＤＢ１３１には、オペレータＡ操作ＤＢ１３２の操作情報とオペレータＢ操作ＤＢ１３３の操作情報との論理和を取って作成された操作情報が格納されている。すわなち、時間１２：０１には操作情報Ａ１、Ａ２、…、Ａｎが格納されている。時間１２：０２には操作情報Ｂ１、Ｂ２、…、Ｂｎが格納されている。時間１２：０３には操作情報Ｃ１、Ｃ２、…、Ｃｎが格納されている。操作情報Ａ１、Ａ２、…、Ａｎ、操作情報Ｂ１、Ｂ２、…、Ｂｎ及び操作情報Ｃ１、Ｃ２、…、Ｃｎは、オペレータＡの操作を示す操作情報である。また、時間１３：０１にはオペレータＢの操作を示す操作情報Ｄ１、Ｄ２、…、Ｄｎが格納されている。なお、図３では、プラント操作ＤＢ１３１において、時間１２：０１から１２：０３、及び、１３：０１以外の時間の操作情報は、その記載を省略している。オペレータＡ操作ＤＢ１３２及びオペレータＢ操作ＤＢ１３３についても同様であり、図に記載されている時間以外も実際には操作情報が格納されている。
【００５０】
上記した各ＤＢに格納された操作情報は、評価表示・操作部２０によって表示することができる。オペレータＡ操作ＤＢ１３２やオペレータＢ操作ＤＢ１３３などのオペレータ操作ＤＢに格納されている操作情報を表示することにより、オペレータ毎に個別に操作を確認することができる。また、プラント操作ＤＢ１３１に格納されている操作情報を表示することにより全てのオペレータの操作を一括して表示できるので、発電プラント４０に対する操作全体を確認することができる。
【００５１】
更に、操作ＤＢ１３には、上述したＤＢ以外に、オペレータ識別情報ＤＢ１３４、メモ情報ＤＢ１３５、所属チーム情報ＤＢ１３６を格納している。
【００５２】
オペレータ識別情報ＤＢ１３４は、オペレータ識別情報（オペレータＩＤやパスワードを含む情報）とこれに対応するオペレータの操作情報を格納したオペレータ操作ＤＢを示す情報（ＤＢ情報）とを対応付けて格納している。例えば、オペレータＡのオペレータ識別情報はオペレータＡ操作ＤＢを示すＤＢ情報に対応付けられており、オペレータＢを示すオペレータ識別情報はオペレータＢ操作ＤＢを示すＤＢ情報に対応付けられている。
【００５３】
メモ情報ＤＢ１３５は、オペレータによって所定の操作情報に対して付加すべく入力されたメモ情報を格納している。例えば、図３では、メモ情報１は操作情報Ａ１に対応付けられ、メモ情報２は操作情報Ｂ１に対応付けられている。
【００５４】
所属チーム情報ＤＢ１３６は、オペレータを示すオペレータ識別情報とこのオペレータが所属するチームを示す所属チーム情報とを対応付けて格納している。なお、オペレータの各々が所属するチームは予め設定されている。図３では、オペレータＡのオペレータ識別情報とチームＸを示す所属チーム情報、オペレータＢのオペレータ識別情報とチームＹを示す所属チーム情報がそれぞれ対応付けられている。
【００５５】
次に、図４を参照して、プロセスＤＢ１７内のデータ構造について説明する。図４は、プロセスＤＢ１７内のデータ構造の一例を示す図である。
【００５６】
図４に示すように、プロセスＤＢ１７には、プラントプロセスＤＢ１７１が含まれている。プラントプロセスＤＢ１７１には、各時間において各測定点にて取得されたｎ個（ｎは、２以上の整数）のプロセスデータが格納されている。時間は、プロセス測定部１５がプロセスデータを取得する時間である分単位で区切られている。プラントプロセスＤＢ１７１には、時間１２：０１に対応付けてプロセスデータＡ１、Ａ２、…、Ａｎが格納されている。時間１２：０２に対応付けてプロセスデータＢ１、Ｂ２、…、Ｂｎが格納されており、時間１２：０３に対応付けてプロセスデータＣ１、Ｃ２、…、Ｃｎが格納されている。なお、図４では、プラントプロセスＤＢ１７１における時間１２：０１から１２：０３以外の時間に対応するプロセスデータは、その記載が省略されている。
【００５７】
また、プロセスＤＢ１７には、アラーム発生情報ＤＢ１７２も含まれている。アラーム発生情報ＤＢ１７２は、アラーム（警告）が発生した状態を示す情報（以下、アラーム発生情報と表記）が、当該アラームが発生した時間に対応付けて格納されている。図４に示す例では、アラーム発生情報１が時間１２：０１に対応付けて格納されている。
【００５８】
また、プロセスＤＢ１７は、指令情報ＤＢ１７３も含まれている。指令情報ＤＢ１７３は、プラント監視制御装置１０の外部からの指令があった場合に、この指令を示す指令情報と指令があった時間とを対応付けて格納する。外部からの指令としては、例えば発電プラント４０の出力を増加させる指令などである。
【００５９】
（オペレータ操作の評価結果表示）
次に、オペレータＡの操作の評価結果を表示する場合を例に説明する。図５は、評価表示・操作部２０における表示画面の一例を示す図である。
【００６０】
ここでは、管理者５０により、検索条件として評価対象オペレータが「オペレータＡ」であり、且つ、評価対象期間が「外部から出力増加指令が行なわれたとき」が指定され、検索要求が行なわれた場合を想定する。外部からの出力増加指令は、発電プラント４０の出力を例えば３０ＭＷ（メガワット）から４０ＭＷに増加させるものであるとする。
【００６１】
図５に示すように、表示される評価結果の表示画面には、運転評価画面２１と、アラーム発生率画面２２と、確認画面２３がある。これら表示画面に表示する表示情報は、オペレーション評価部１９により作成される。
【００６２】
運転評価画面２１は、外部から出力増加指令があった際にオペレータＡがどのように操作を行ったかを評価するために、出力増加指令に伴い行われたオペレータＡの操作に対する評価結果を表示している。この運転評価画面２１に表示される表示情報は、操作ＤＢ１３のオペレータＡ操作ＤＢ１３２に格納されている操作情報と、プロセスＤＢ１７のプラントプロセスＤＢ１７１に格納されているプロセスデータ及び指令情報ＤＢ１７３に格納されている出力増加指令を示す指令情報に基づいて、オペレーション評価部１９により作成される。
【００６３】
運転評価画面２１において表示している目標線２１ａは、発電プラント４０の出力を３０ＭＷから４０ＭＷに増加させる際の発電プラント４０の出力目標値を示している。また、実出力線２１ｂは、発電プラント４０の出力を３０ＭＷから４０ＭＷに増加させた際の発電プラント４０の実際の出力を示す。この実出力線２１ｂは、図２のステップＳ８においてＤＢ操作部１８によって取得されたプロセスデータによって作成される。目標線２１ａと実出力線２１ｂの差（誤差）が小さいものが、質の高いオペレーション（操作）と評価される。なお、基準線２１ｃは、目的とする出力である４０ＭＷを示す。
【００６４】
運転評価画面２１では、上記した目標線２１ａ及び実出力線２１ｂに基づいて評価したオーバーシュート２１ｄ、誤差面積２１ｅ及び整定時間Ｔなどの評価結果を表示する。オーバーシュート２１ｄは、発電プラント４０の出力が実出力線２１ｂで示されるように基準線２１ｃの４０ＭＷを超えたことを示している。運転評価画面２１には、実出力線２１ｂのオーバーシュート２１ｄの割合（％）を示す値が表示される。オーバーシュート２１ｄの割合が高い場合には、無駄な出力が多い。このため、管理者５０は、オーバーシュート２１ｄの割合を確認することにより、このオペレータのオペレーションの質が低いという評価が行なえる。
【００６５】
運転評価画面２１には、誤差面積２１ｅも表示される。誤差面積２１ｅは、上記した目標線２１ａと実出力線２１ｂとの間の面積を示している。この誤差面積２１ｅは、実際のオペレータＡの操作による発電プラント４０の出力と目標線２１ａによって示される発電プラント４０の出力目標値との違いの程度を示すものである。この誤差面積２１ｅの値が小さいほど発電プラント４０の出力が出力目標値に近く、オペレータＡのオペレーションの質が高いという評価を行なうことができる。
【００６６】
運転評価画面２１には整定時間Ｔも表示される。整定時間Ｔは、発電プラント４０の出力を３０ＭＷから４０ＭＷに増加させる場合に、発電プラント４０の出力が実際に４０ＭＷになるまで時間を示している。４０ＭＷの目標値にはやく近づける必要があるが、質の低いオペレーションの場合、４０ＭＷになるまでに時間がかかる。よって、整定時間Ｔが短い方が、無駄な出力がなく、かつ短時間で目的とする出力にすることが可能なため質の高いオペレーションであるという評価が行なえる。
【００６７】
なお、上記したオーバーシュート２１ｄ、誤差面積２１ｅ及び整定時間Ｔを表示する際、それぞれ所定の値を設定しておき、当該所定の値を超えるか否か、または当該所定の値との差によって、例えば点数若しくはランクを表示する構成としても良い。
【００６８】
アラーム発生率画面２２は、例えばオペレータＡを含む複数のオペレータからなるチームが設定されている場合において、当該チームの操作におけるアラーム（警告）の発生率（発生頻度）を、オペレータＡを含む場合と含まない場合とに分けて表示する。
【００６９】
オペレーション評価部１９は、ＤＢ操作部１８を介して、操作ＤＢ１３の所属チーム情報ＤＢに基づき、オペレータＡの所属チーム情報（チームＸ）と、このチームＸに所属するオペレータＡ以外のオペレータ識別情報を取得する。次いで、オペレーション評価部１９は、ＤＢ操作部１８を介して、取得したチームＸに所属する各オペレータのオペレータ識別情報に基づき、対応するオペレータ操作ＤＢをそれぞれ検索しオペレータの操作情報を取得する。そして、オペレーション評価部１９は、ＤＢ操作部１８を介して、取得した各オペレータの操作情報に基づき、プロセスＤＢ１７のアラーム発生情報ＤＢ１７２を検索し、各オペレータの操作情報に対応する時間のアラーム発生情報を取得する。このように取得したオペレータＡの所属チームＸに所属する各オペレータの操作情報と、アラーム発生情報に基づいて、オペレーション評価部１９は、アラーム発生率画面の表示情報を作成する。
【００７０】
同じ運転条件であればアラーム発生率が低いほど良いオペレーションであると評価することができる。図５では、オペレータＡがチームにいない（含まれない）場合より、オペレータＡがチームにいる（含まれる）場合の方がアラーム発生率が低いため、オペレータＡのオペレーションの質は高いと評価できる。
【００７１】
確認画面２３は、所定のオペレータが操作中に確認した画面（確認画面）を表示する。図５の例では、オペレータＡが操作中に確認した４つの確認画面が表示されている。なお、この確認画面に関する情報は、操作ＤＢ１３（図３）において、所定のオペレータに対応するオペレータ操作ＤＢに格納している。例えば、操作中にオペレータＡが、時間１２：０２に所定の画面Ａを確認した場合、この画面Ａを示す情報が、操作処理部１２によりオペレータＡ操作ＤＢ１３２中に時間１２：０２に対応させた状態で格納される。
【００７２】
なお、この確認画面２３に表示される確認画面の順序は、操作処理部１２により操作ＤＢ１３に格納された順序になっている。また、確認画面２３に表示される確認画面の順序は、オペレータによって能動的に記録されても良い。
【００７３】
また、確認画面２３では、画面に関連するメモ情報を表示するための「メモあり」のリンク２３ａが設置されている。ここで、このメモ情報は、リンク２３ａの設置されている確認画面を確認するときにどのようなことに注意する必要があるか等をオペレータが記録したものである。なお、この確認画面に対するメモ情報は、操作情報に対するメモ情報と共に、操作ＤＢ１３のメモ情報ＤＢ１３５に格納されている。
【００７４】
上記したように本実施形態においては、プラント監視制御装置１０を操作するオペレータを識別し、オペレータ毎に操作を示す操作情報を格納するようにした。そして、操作評価時には、評価対象とするオペレータを検索条件として指定し、当該指定したオペレータの操作のみ対象として評価を行うようにした。このため、オペレータ毎に操作を評価することが可能である。
【００７５】
また、オペレータ毎に操作の評価結果を表示できるため、オペレータが自分の操作の評価を確認することもできる。また、操作経験が浅いオペレータの場合、評価が高かった他人の過去の操作を閲覧することもができるので、より質の高いオペレーションを習得できる。
【００７６】
また、オペレータは、過去に自分が操作した操作情報や、熟練度の高い他人が操作した操作情報を検索し、操作情報に対して付加されたメモ情報（注意事項）や、操作中に確認した確認画面を参照することができるので、より質の高いオペレーションを実行することが可能となる。
【００７７】
また、複数のオペレータからなるチームを設定し、オペレータの各々が所属するチームを示す所属チーム情報を操作ＤＢ１３に格納しておくことで、オペレータ個人だけでなく、チームとしての操作を評価することが可能となる。また、オペレータ毎の操作の評価とチームとしての操作の評価とを利用することで、チームを構成するオペレータの組み合わせによる評価を実行することも可能である。
【００７８】
また、評価結果を閲覧する際にＩＤやパスワードを入力させることによって、評価結果の閲覧を管理者５０のみに限ることが可能となる。なお、チームとしての評価結果の閲覧は、当該チームに所属するオペレータのみが閲覧可能とするような構成としても良い。
【００７９】
なお、本発明は、上記実施形態そのままに限定されるものではなく、実施段階ではその要旨を逸脱しない範囲で構成要素を変形して具体化できる。また上記実施形態に開示されている複数の構成要素の適宜な組み合わせにより種々の発明を形成できる。例えば、実施形態に示される全構成要素からいくつかの構成要素を削除してもよい。
【図面の簡単な説明】
【００８０】
【図１】本発明の実施形態に係るプラント監視制御装置１０の構成を示すブロック図。
【図２】図１のプラント監視制御装置１０の処理手順を示すフローチャート。
【図３】操作ＤＢ１３のデータ構造の一例を示す図。
【図４】プラントＤＢ１７のデータ構造の一例を示す図。
【図５】評価表示・操作部２０における表示画面の一例を示す図。
【符号の説明】
【００８１】
１０…プラント監視制御装置、１１…表示・操作部、１２…操作処理部、１３…操作ＤＢ、１４…プロセス操作部、１５…プロセス測定部、１６…表示処理部、１７…プロセスＤＢ、１８…ＤＢ操作部、１９…オペレーション評価部、２０…評価表示画面、４０…発電プラント。
【図１】
2008140340.tif 000003
【図２】
2008140340.tif 000004
【図３】
2008140340.tif 000005
【図４】
2008140340.tif 000006
【図５】
2008140340.tif 000007